(57)【特許請求の範囲】
【請求項１】
リムに装着して使用されるタイヤであって、
トレッド、第一サイドウォール、第二サイドウォール、第一ビード、第二ビード、カーカス、ベルト、支持層及びバンドを備えており、
上記第一サイドウォールが上記トレッドの第一端から半径方向略内向きに延びており、上記第二サイドウォールがこのトレッドの第二端から半径方向略内向きに延びており、
上記第一ビードが上記第一サイドウォールよりも半径方向内側に位置しており、上記第二ビードが上記第二サイドウォールよりも半径方向内側に位置しており、
上記カーカスが上記第一サイドウォール、上記トレッド及び上記第二サイドウォールの内側に沿って、上記第一ビードと上記第二ビードとの間を架け渡しており、
上記ベルトが上記トレッドの半径方向内側において上記カーカスと積層されており、
上記支持層が、上記第二サイドウォールの側において、上記カーカスの軸方向内側に位置しており、
上記バンドが上記ベルトと上記トレッドとの間に位置しており、かつ上記ベルトを覆っており、
上記バンドが、上記ベルトの半径方向外側に螺旋巻きされた帯状プライを備えており、
上記帯状プライがバンドコードを含んでおり、
上記バンドの断面が、軸方向に並列された上記帯状プライの断面を多数含んでおり、
上記バンドの断面において、上記帯状プライの断面の幅に対する、一の帯状プライの断面と、この一の帯状プライの断面の隣に位置する他の帯状プライの断面との間隔の比が、０以上１以下であり、
上記ベルトの第二端側における上記間隔が、このベルトの第一端側における上記間隔よりも大きく、
上記リムが、上記第一ビードの部分が嵌め合わされる第一シートと、上記第二ビードの部分が嵌め合わされる第二シートとを備えており、
上記第一シートにおけるこのリムのリム径を第一リム径とし、上記第二シートにおけるこのリムのリム径を第二リム径としたとき、
このタイヤにおける上記第二リム径の呼びが上記第一リム径の呼びよりも大きく、
上記ベルトにおいて、このベルトの軸方向幅を３等分する地点を、このベルトの第一端の側から、地点ＰＢ１及び地点ＰＢ２としたとき、
上記ベルトの第一端から上記地点ＰＢ１までのゾーンにおいて、上記バンドの断面における、上記帯状プライの断面の幅に対する上記間隔の比が０以上０．２以下であり、
上記地点ＰＢ１から上記地点ＰＢ２までのゾーンにおいて、上記バンドの断面における、上記帯状プライの断面の幅に対する上記間隔の比が０．２以上０．８以下であり、
上記地点ＰＢ２から上記ベルトの第二端までのゾーンにおいて、上記バンドの断面における、上記帯状プライの断面の幅に対する上記間隔の比が０．８以上１以下である、空気入りタイヤ。
【請求項２】
上記第二リム径の呼びと上記第一リム径の呼びとの差が１インチ以上３インチ以下である、請求項１に記載の空気入りタイヤ。
【請求項３】
上記第一リム径の呼びが１６インチ以上２０インチ以下である、請求項１又は２に記載の空気入りタイヤ。
【請求項４】
上記バンドコードがアラミド繊維からなる、請求項１から３のいずれかに記載の空気入りタイヤ。
【発明の詳細な説明】
【技術分野】
【０００１】
本発明は、空気入りタイヤに関する。詳細には、本発明はサイド補強タイプのランフラットタイヤに関する。
【背景技術】
【０００２】
高速道路網の発達、そして、車輌の高性能化が進んでいる。車輌は、高速で長時間走行する傾向にある。車輌に装着されるタイヤでは、操縦安定性、乗り心地及び高速耐久性の向上に重点を置いた開発が進められている。
【０００３】
近年、サイドウォールの内側に荷重支持層を備えたランフラットタイヤが開発され、普及しつつある。この支持層には、高硬度な架橋ゴムが用いられている。このランフラットタイヤは、サイド補強タイプと称されている。
【０００４】
このタイプのランフラットタイヤでは、パンクによって内圧が低下すると、支持層が車重を支える。ランフラットタイヤでは、パンク状態でも、ある程度の距離の走行が可能である。このランフラットタイヤが装着された車輌には、スペアタイヤの常備は不要である。このランフラットタイヤは、車輌の室内空間の確保に寄与する。このようなタイヤの例が、特開２００８−１５５８５５公報及び特開２０１３−０７１４６８公報に開示されている。
【０００５】
タイヤは、リムに組み込まれる。この組み込みでは、タイヤのビードの部分が、リムに嵌め合わされる。リムにおいて、ビードの部分が嵌め合わされる部分はビードシートと称される。このビードシートにおける外径に基づいて、リムのリム径が表される。
【０００６】
タイヤの形状は通常、トレッドパターンを除き、赤道面に対して対称である。つまり、一方のサイドウォールからビードに至るまでの部分（以下、第一サイド部）の長さは、他方のサイドウォールからビードに至るまでの部分（以下、第二サイド部）の長さと同等である。このタイヤが装着されるリムにおいては、左右のリム径は同じである。
【０００７】
四輪自動車では、車輌の右側部分とその左側部分とにタイヤは配置される。このため、四輪自動車に用いられるタイヤにおいては、車輌の幅方向において、内側に位置する部分と、外側に位置する部分とで、その構成を変えることがある。非対称のトレッドパターンは、その典型である。
【０００８】
サイド部の長さは、タイヤの撓みに影響する。長いサイド部は撓みに寄与し、短いサイド部は剛性に寄与する。そこで、例えば、第一サイド部が第二サイド部よりも長くなるように構成することで、タイヤの左右の撓みをコントロールし、タイヤの性能向上について検討することがある。この検討例が、例えば、特開平０６−０９２１０４号公報及び特開平０５−１３９１０９号公報に開示されている。
【０００９】
第一サイド部が第二サイド部よりも長くなるように構成されたタイヤでは、左右のビードの位置が異なる。このタイヤには、左右のリム径が異なるように構成されたリムが用いられる。このタイヤは、異径ビードタイプとも称されている。
【先行技術文献】
【特許文献】
【００１０】
【特許文献１】特開２００８−１５５８５５公報
【特許文献２】特開２０１３−０７１４６８公報
【特許文献３】特開平０６−０９２１０４号公報
【特許文献４】特開平０５−１３９１０９号公報
【発明の概要】
【発明が解決しようとする課題】
【００１１】
ランフラットタイヤでは、支持層は硬質である。この支持層は、操縦安定性に寄与する。しかしこのタイヤは、この支持層のないノーマルタイヤに比べて乗り心地に劣る。
【００１２】
ランフラットタイヤには、パンク状態でもある程度の距離を走行できることが求められる。このため、支持層は相当の厚さを有している。このタイヤは、ノーマルタイヤに比べてかなり重い。大きな質量は、タイヤの転がり抵抗に影響する。
【００１３】
車輌に装着されたタイヤでは、この車輌の幅方向において内側に位置する部分には、その外側に位置する部分よりも熱がこもりやすい。熱は、タイヤの耐久性に影響する。ランフラットタイヤには、支持層が設けられているため、熱が蓄積しやすい。このタイヤでは、パンク状態での走行（以下、ランフラット走行）のために設けた支持層が、耐久性に影響する恐れがある。
【００１４】
前述したように、短いサイド部は剛性に寄与する。短いサイド部は、小さなボリュームを招来する。小さなボリュームを有するサイド部は軽量化に寄与する上に、このサイド部に熱は蓄積しにくい。そこで、ランフラットタイヤを異径ビードタイプとすれば、タイヤの剛性を適切に維持ししつつ、操縦安定性及び乗り心地の両立を図りながら、耐久性の向上を達成できる可能性がある。しかし異径ビードタイプのタイヤには、このタイヤに空気を充填したとき、小さなリム径の呼びを有する部分と、大きなリム径の呼びを有する部分とにおいて、インフレート状態に違いが生じ、タイヤの接地形状が歪になりやすいという問題がある。このタイヤでは、小さなリム径の呼びを有する部分の外径と、大きなリム径の呼びを有する部分の外径とに違いが生じ、大きなコニシティが発生する恐れがある。コニシティの増加を抑えるために、長いサイド部の剛性を高めると、乗り心地が低下してしまう。
【００１５】
本発明の目的は、コニシティの増加を抑えつつ、操縦安定性及び乗り心地の向上が達成された空気入りタイヤの提供にある。
【課題を解決するための手段】
【００１６】
本発明に係る空気入りタイヤは、リムに装着して使用される。このタイヤは、トレッド、第一サイドウォール、第二サイドウォール、第一ビード、第二ビード、カーカス、ベルト、支持層及びバンドを備えている。上記第一サイドウォールは、上記トレッドの第一端から半径方向略内向きに延びている。上記第二サイドウォールは、このトレッドの第二端から半径方向略内向きに延びている。上記第一ビードは、上記第一サイドウォールよりも半径方向内側に位置している。上記第二ビードは、上記第二サイドウォールよりも半径方向内側に位置している。上記カーカスは、上記第一サイドウォール、上記トレッド及び上記第二サイドウォールの内側に沿って、上記第一ビードと上記第二ビードとの間を架け渡している。上記ベルトは、上記トレッドの半径方向内側において上記カーカスと積層されている。上記支持層は、上記第二サイドウォールの側において、上記カーカスの軸方向内側に位置している。上記バンドは、上記ベルトと上記トレッドとの間に位置しており、かつ上記ベルトを覆っている。上記バンドは、上記ベルトの半径方向外側に螺旋巻きされた帯状プライを備えている。上記帯状プライは、バンドコードを含んでいる。上記バンドの断面は、軸方向に並列された上記帯状プライの断面を多数含んでいる。上記バンドの断面において、上記帯状プライの断面の幅に対する、一の帯状プライの断面と、この一の帯状プライの断面の隣に位置する他の帯状プライの断面との間隔の比は、０以上１以下である。上記ベルトの第二端側における上記間隔は、このベルトの第一端側における上記間隔よりも大きい。上記リムは、上記第一ビードの部分が嵌め合わされる第一シートと、上記第二ビードの部分が嵌め合わされる第二シートとを備えている。上記第一シートにおけるこのリムのリム径を第一リム径とし、上記第二シートにおけるこのリムのリム径を第二リム径としたとき、このタイヤにおける上記第二リム径の呼びは上記第一リム径の呼びよりも大きい。
【００１７】
好ましくは、この空気入りタイヤでは、上記ベルトにおいて、このベルトの軸方向幅を３等分する地点を、このベルトの第一端の側から、地点ＰＢ１及び地点ＰＢ２としたとき、上記ベルトの第一端から上記地点ＰＢ１までのゾーンにおいて、上記バンドの断面における、上記帯状プライの断面の幅に対する上記間隔の比は０以上０．２以下である。上記地点ＰＢ１から上記地点ＰＢ２までのゾーンにおいて、上記バンドの断面における、上記帯状プライの断面の幅に対する上記間隔の比は０．２以上０．８以下である。上記地点ＰＢ２から上記ベルトの第二端までのゾーンにおいて、上記バンドの断面における、上記帯状プライの断面の幅に対する上記間隔の比は０．８以上１以下である。
【００１８】
好ましくは、この空気入りタイヤでは、上記第二リム径の呼びと上記第一リム径の呼びとの差は１インチ以上３インチ以下である。
【００１９】
好ましくは、この空気入りタイヤでは、上記第一リム径の呼びは１６インチ以上２０インチ以下である。
【００２０】
好ましくは、この空気入りタイヤでは、上記バンドコードはアラミド繊維からなる。
【発明の効果】
【００２１】
本発明に係る空気入りタイヤでは、第二リム径の呼びは第一リム径の呼びよりも大きい。言い換えれば、このタイヤでは、第二サイドウォールから第二ビードに至るまでの部分（第二サイド部）は第一サイドウォールから第一ビードに至るまでの部分（第一サイド部）よりも短い。この第二サイド部は、支持層を有しているにもかかわらず、軽量化に寄与する。この第二サイド部には、支持層が設けられているにもかかわらず、熱が蓄積しにくい。この第二サイド部は、耐久性に寄与する。この第二サイド部が内側に位置するようにこのタイヤを車輌に装着することにより、耐久性のさらなる向上を図ることができる。
【００２２】
このタイヤは、大径側の第二サイド部が小径側の第一サイド部に引っ張られるように膨張する。タイヤの赤道面は小径側にシフトし、大径側の第二サイド部は立ち上がる。これにより、この第二サイド部におけるカーカスは概ね半径方向に沿うように延在する。このカーカスのプロファイルは、タイヤの支持に効果的に寄与する。横剛性が増加するので、このタイヤでは、良好な操縦安定性が得られる。このタイヤでは、パンクによって内圧が低下しても、この第二サイド部が車重を十分に支えうる。このタイヤでは、パンク状態でも、ある程度の距離の走行が可能である。
【００２３】
このタイヤでは、第一サイド部は第二サイド部よりも長い。この第一サイド部は、撓みに寄与する。縦剛性が適切に維持されるので、このタイヤでは、良好な乗り心地が得られる。この第一サイド部が外側に位置するようにこのタイヤを車輌に装着することにより、乗り心地のさらなる向上を図ることができる。
【００２４】
このタイヤでは、ベルトを覆うバンドは螺旋巻きされた帯状プライからなる。このバンドの断面は、軸方向に並列された帯状プライの断面を多数含んでいる。このタイヤでは、このバンドが、その断面において、一の帯状プライの断面と、この一の帯状プライの断面の隣に位置する他の帯状プライの断面との間隔が、この帯状プライの断面の幅に対して０以上１以下で設定されるとともに、ベルトの第二端側における間隔がこのベルトの第一端側における間隔よりも大きくなるよう構成されている。このバンドを有するタイヤでは、その膨張状態において、小さなリム径の呼びを有する部分の外径と、大きなリム径の呼びを有する部分の外径とに、違いは生じにくい。このタイヤでは、コニシティの増加が抑えられる。
【００２５】
本発明によれば、コニシティの増加を抑えつつ、操縦安定性及び乗り心地の向上が達成された空気入りタイヤが得られる。
【図面の簡単な説明】
【００２６】
【図１】図１は、本発明の一実施形態に係る空気入りタイヤの概略が示された断面図である。
【図２】図２は、図１のタイヤの左側部分が示された断面図である。
【図３】図３は、図１のタイヤの右側部分が示された断面図である。
【図４】図４は、バンドの形成のために用いられる帯状プライの一部が示された断面斜視図である。
【図５】図５は、図１のタイヤのバンドの一部が示された断面図である。
【図６】図６は、図１のタイヤの使用状態での輪郭が示された模式図である。
【発明を実施するための形態】
【００２７】
以下、適宜図面が参照されつつ、好ましい実施形態に基づいて本発明が詳細に説明される。
【００２８】
図１には、空気入りタイヤ２が示されている。詳細には、この図１には、このタイヤ２の回転の中心軸を含む平面に沿った、このタイヤ２の断面の一部が示されている。図１において、上下方向がタイヤ２の半径方向であり、左右方向がタイヤ２の軸方向であり、紙面との垂直方向がタイヤ２の周方向である。このタイヤ２は、リム４に組み込まれている。このタイヤ２の内部には、空気が充填されている。これにより、タイヤ２の内圧が調整されている。
【００２９】
図２には、図１に示されたタイヤ２の断面の左側部分が示されている。図３には、図１に示されたタイヤ２の断面の右側部分が示されている。図２及び３のそれぞれにおいて、上下方向がタイヤ２の半径方向であり、左右方向がタイヤ２の軸方向であり、紙面との垂直方向がタイヤ２の周方向である。
【００３０】
後述するが、このタイヤ２は、ローカバー（未架橋タイヤ２）をモールド（図示されず）内で加圧及び加熱することにより得られる。このとき、ローカバーはモールドのキャビティ面に押し当てられる。これにより、タイヤ２の外面が得られる。図２及び３に示されたタイヤ２の外面の輪郭は、このキャビティ面の輪郭と一致している。
【００３１】
図２及び３において、符号ＰＥはこのタイヤ２の半径方向外側端を表している。この外側端ＰＥは、赤道とも称される。実線ＥＬは、赤道ＰＥを通る。実線ＥＬは、半径方向に延びる。実線ＥＬは、このタイヤ２の赤道面である。本発明において、赤道面ＥＬはモールドのキャビティ面に基づいて特定される。図２及び３から明らかなように、このタイヤ２の形状は赤道面に対して非対称である。
【００３２】
このタイヤ２は、トレッド６、貫通部８、一対のサイドウォール１０、一対のクリンチ１２、一対のビード１４、カーカス１６、ベルト１８、一対のエッジバンド２０、一対のクッション層２２、インナーライナー２４、一対のインスレーション２６、一対のチェーファー２８、一対の支持層３０及びバンド３２を備えている。このタイヤ２は、チューブレスタイプである。このタイヤ２は、乗用車用である。
【００３３】
トレッド６は、半径方向外向きに凸な形状を呈している。トレッド６は、路面と触れるトレッド面３４を形成する。トレッド６には、溝３６が刻まれている。この溝３６により、トレッドパターンが形成されている。トレッド６は、キャップ層３８とベース層４０とを有している。キャップ層３８は、ベース層４０の半径方向外側に位置している。キャップ層３８は、ベース層４０に積層されている。キャップ層３８は、耐摩耗性、耐熱性及びグリップ性に優れた架橋ゴムからなる。ベース層４０は、バンド３２を覆っている。ベース層４０は、接着性に優れた架橋ゴムからなる。ベース層４０の典型的な基材ゴムは、天然ゴムである。図２において、符号ＰＴ１はタイヤ２の外面における特定の地点を表している。この地点ＰＴ１は、トレッド６の一方の軸方向外端（第一端）である。図３において、符号ＰＴ２はタイヤ２の外面における特定の地点を表している。この地点ＰＴ２は、このトレッド６の他方の軸方向外端（第二端）である。
【００３４】
貫通部８は、導電性の架橋ゴムからなる。貫通部８は、トレッド６を貫通している。貫通部８の一端は、トレッド面３４に露出している。貫通部８の他端は、バンド３２と接触している。このタイヤ２では、貫通部８は周方向に延在している。
【００３５】
一対のサイドウォール１０のうち一方のサイドウォール１０ａ（第一サイドウォール）は、トレッド６の第一端ＰＴ１から半径方向略内向きに延びている。他方のサイドウォール１０ｂ（第二サイドウォール）は、トレッド６の第二端ＰＴ２から半径方向略内向きに延びている。
【００３６】
それぞれのサイドウォール１０の半径方向外側部分は、トレッド６と接合されている。このサイドウォール１０の半径方向内側部分は、クリンチ１２と接合されている。このサイドウォール１０は、耐カット性及び耐候性に優れた架橋ゴムからなる。このサイドウォール１０は、カーカス１６の損傷を防止する。
【００３７】
一対のクリンチ１２のうち一方のクリンチ１２ａ（第一クリンチ）は、第一サイドウォール１０ａの半径方向略内側に位置している。他方のクリンチ１２ｂ（第二クリンチ）は、第二サイドウォール１０ｂの半径方向略内側に位置している。
【００３８】
それぞれのクリンチ１２は、軸方向において、ビード１４及びカーカス１６よりも外側に位置している。このクリンチ１２は、耐摩耗性に優れた架橋ゴムからなる。クリンチ１２は、リム４のフランジ４２と当接する。
【００３９】
一対のビード１４のうち一方のビード１４ａ（第一ビード）は、第一クリンチ１２ａの軸方向内側に位置している。第一ビード１４ａは、半径方向において、第一サイドウォール１０ａよりも内側に位置している。他方のビード１４ｂ（第二ビード）は、第二クリンチ１２ｂの軸方向内側に位置している。第二ビード１４ｂは、半径方向において、第二サイドウォール１０ｂよりも内側に位置している。
【００４０】
それぞれのビード１４は、内側パート４４と外側パート４６とを備えている。外側パート４６は、軸方向において、内側パート４４よりも外側に位置している。
【００４１】
内側パート４４は、内側コア４８と内側エイペックス５０とを備えている。詳細には、内側パート４４は内側コア４８及び内側エイペックス５０から構成されている。内側コア４８は、リング状である。図示されていないが、内側コア４８は巻回された非伸縮性ワイヤーを含む。ワイヤーの典型的な材質は、スチールである。内側エイペックス５０は、高硬度な架橋ゴムからなる。内側エイペックス５０は、内側コア４８を覆い、かつ、この内側コア４８から半径方向略外向きに延在している。内側エイペックス５０の半径方向外側部分は、先細りな形状を呈している。
【００４２】
外側パート４６は、外側コア５２と外側エイペックス５４とを備えている。詳細には、外側パート４６は外側コア５２及び外側エイペックス５４から構成されている。外側コア５２は、リング状である。図示されていないが、外側コア５２は巻回された非伸縮性ワイヤーを含む。ワイヤーの典型的な材質は、スチールである。外側エイペックス５４は、高硬度な架橋ゴムからなる。外側エイペックス５４は、外側コア５２を覆い、かつ、この外側コア５２から半径方向略外向きに延在している。外側エイペックス５４の半径方向外側部分は、先細りな形状を呈している。
【００４３】
このタイヤ２では、それぞれのビード１４の半径方向内側部分では、内側エイペックス５０は外側エイペックス５４と接合している。この部分において、内側エイペックス５０と外側エイペックス５４とは一体的に形成されている。
【００４４】
カーカス１６は、カーカスプライ５６を備えている。このタイヤ２のカーカス１６は、一枚のカーカスプライ５６からなる。このカーカス１６が２枚以上のカーカスプライ５６から形成されてもよい。
【００４５】
カーカスプライ５６は、第一ビード１４ａと第二ビード１４ｂとの間に架け渡されている。カーカスプライ５６は、第一サイドウォール１０ａ、トレッド６及び第二サイドウォール１０ｂの内側に沿って延在している。図示されていないが、カーカスプライ５６は並列された多数のコードとトッピングゴムとからなる。それぞれのコードが赤道面ＥＬに対してなす角度の絶対値は、７５°から９０°である。換言すれば、このカーカス１６はラジアル構造を有する。コードは、有機繊維からなる。好ましい有機繊維として、ポリエチレンテレフタレート繊維、ナイロン繊維、レーヨン繊維、ポリエチレンナフタレート繊維及びアラミド繊維が例示される。高い剛性を有するカーカス１６が得られるとの観点から、このコードのための有機繊維としては、アラミド繊維がより好ましい。
【００４６】
このタイヤ２では、ビード１４の内側パート４４は軸方向においてカーカスプライ５６の内側に位置している。外側パート４６は、軸方向において、このカーカスプライ５６の外側に位置している。詳細には、カーカスプライ５６の端部は内側パート４４と外側パート４６との間に挟まれている。前述したように、ビード１４の半径方向内側部分において、内側エイペックス５０と外側エイペックス５４とは一体的に形成されている。このタイヤ２では、カーカスプライ５６は従来のタイヤのようにビード１４の周りにて折り返されていない。本発明においては、端部が内側パート４４と外側パート４６との間に挟まれたカーカスプライ５６から構成されたカーカス１６の構造は、「インサート構造」と称される。図示されていないが、ビードの周りにて折り返されたカーカスプライからカーカスが構成されている場合、このカーカスの構造は「折り返し構造」と称される。
【００４７】
ベルト１８は、トレッド６の半径方向内側に位置している。ベルト１８は、カーカス１６と積層されている。ベルト１８は、カーカス１６を補強する。ベルト１８は、内側層５８及び外側層６０の２層からなる。このベルト１８が、３以上の層を備えてもよい。
【００４８】
このタイヤ２では、軸方向において、内側層５８の幅は外側層６０の幅よりも若干大きい。図示されていないが、内側層５８及び外側層６０のそれぞれは、並列された多数のコードとトッピングゴムとからなる。それぞれのコードは、赤道面に対して傾斜している。傾斜角度の一般的な絶対値は、１０°以上３５°以下である。内側層５８のコードの赤道面に対する傾斜方向は、外側層６０のコードの赤道面に対する傾斜方向とは逆である。コードの好ましい材質は、スチールである。コードに、有機繊維が用いられてもよい。好ましい有機繊維としては、ポリエチレンテレフタレート繊維、ナイロン繊維、レーヨン繊維、ポリエチレンナフタレート繊維及びアラミド繊維が例示される。
【００４９】
このタイヤ２では、ベルト１８の軸方向幅は、タイヤ２の最大幅の０．７倍以上が好ましい。なお、この最大幅は、モールドのキャビティ面の輪郭に基づいて特定される。軸方向におけるこのベルト１８の中心において、赤道面ＥＬはこのベルト１８と交差している。
【００５０】
図１において、符号ＰＢ１及びＰＢ２は、ベルト１８の外面上の特定の地点を表している。地点ＰＢ１はベルト１８の第一端６２ａの側にあり、地点ＰＢ２はこのベルト１８の第二端６２ｂの側にある。このタイヤ２では、ベルト１８の第一端６２ａから地点ＰＢ１までの軸方向長さは、この地点ＰＢ１から地点ＰＢ２までの軸方向長さと等しい。この地点ＰＢ１から地点ＰＢ２までの軸方向長さは、地点ＰＢ２からベルト１８の第二端６２ｂまでの軸方向長さと等しい。つまり、地点ＰＢ１及び地点ＰＢ２は、ベルト１８において、このベルト１８の軸方向幅を３等分する地点である。本発明においては、ベルト１８の第一端６２ａから地点ＰＢ１までのゾーンは、外側ゾーンＺＳと称される。地点ＰＢ１から地点ＰＢ２までのゾーンは、中央ゾーンＺＣと称される。地点ＰＢ２からベルト１８の第二端６２ｂまでのゾーンは、内側ゾーンＺＵと称される。
【００５１】
それぞれのエッジバンド２０は、ベルト１８の半径方向外側であって、かつベルト１８の端６２の近傍に位置している。図示されていないが、このエッジバンド２０は、コードとトッピングゴムとからなる。コードは、螺旋状に巻かれている。このエッジバンド２０は、いわゆるジョイントレス構造を有する。コードは、実質的に周方向に延びている。周方向に対するコードの角度は、５°以下、さらには２°以下である。このコードによりベルト１８の端６２が拘束されるので、ベルト１８のリフティングが抑制される。コードは、有機繊維からなる。好ましい有機繊維として、ナイロン繊維、ポリエステル繊維、レーヨン繊維、ポリエチレンナフタレート繊維及びアラミド繊維が例示される。
【００５２】
ぞれぞれのクッション層２２は、ベルト１８の端６２の近傍において、カーカス１６と積層されている。クッション層２２は、軟質な架橋ゴムからなる。クッション層２２は、ベルト１８の端６２の応力を吸収する。このクッション層２２は、ベルト１８のリフティングの抑制に寄与する。
【００５３】
インナーライナー２４は、カーカス１６の内側に位置している。赤道面の近傍において、インナーライナー２４は、カーカス１６の内面に接合されている。インナーライナー２４は、空気遮蔽性に優れた架橋ゴムからなる。インナーライナー２４の典型的な基材ゴムは、ブチルゴム又はハロゲン化ブチルゴムである。インナーライナー２４は、タイヤ２の内圧を保持する。
【００５４】
それぞれのインスレーション２６は、軸方向において、サイドウォール１０の内側に位置している。インスレーション２６は、支持層３０とインナーライナー２４とに挟まれている。インスレーション２６は、接着性に優れた架橋ゴムからなる。インスレーション２６は、支持層３０と堅固に接合し、インナーライナー２４とも堅固に接合する。インスレーション２６により、サイドウォール１０の軸方向内側における、インナーライナー２４の剥離が抑制される。
【００５５】
それぞれのチェーファー２８は、ビード１４の近傍に位置している。タイヤ２がリム４に組み込まれると、チェーファー２８はリム４と当接する。この当接により、ビード１４の近傍が保護される。この実施形態では、チェーファー２８は、クリンチ１２と一体である。したがって、チェーファー２８の材質はクリンチ１２の材質と同じである。チェーファー２８が、布とこの布に含浸したゴムとからなってもよい。
【００５６】
一対の支持層３０のうち一方の支持層３０ａ（第一支持層）は、第一サイドウォール１０ａよりも軸方向内側に位置している。この第一支持層３０ａは、第一サイドウォール１０ａの側において、カーカス１６の軸方向内側に位置している。他方の支持層３０ｂ（第二支持層）は、第二サイドウォール１０ｂよりも軸方向内側に位置している。この第二支持層３０ｂは、第二サイドウォール１０ｂの側において、カーカス１６の軸方向内側に位置している。それぞれの支持層３０は、カーカス１６と、インナーライナー２４とに挟まれている。この支持層３０は、ビード１４における内側エイペックス５０の半径方向外側に位置している。このタイヤ２では、支持層３０はこの内側エイペックス５０と積層されている。
【００５７】
このタイヤ２では、支持層３０は、半径方向において、内向きに先細りであり外向きにも先細りである。この支持層３０は、三日月に類似の形状を有する。支持層３０は、架橋ゴムからなる。タイヤ２がパンクしたとき、この支持層３０が車重を支える。この支持層３０により、パンク状態であっても、タイヤ２はある程度の距離を走行しうる。このタイヤ２は、ランフラットタイヤとも称されている。このタイヤ２は、サイド補強タイプである。
【００５８】
このタイヤ２では、支持層３０の硬度は６０以上８５以下が好ましい。この硬度が６０以上に設定されることにより、パンクによってこのタイヤ２の内圧が低下した場合、この支持層３０が車重の支持に効果的に寄与しうる。この観点から、この硬度は６５以上がより好ましい。この硬度が８５以下に設定されることにより、支持層３０によるサイドウォール１０の部分の撓みへの影響が抑えられる。このタイヤ２では、乗り心地が適切に維持される。この観点から、この硬度は８０以下がより好ましい。
【００５９】
本願において、硬度はＪＩＳ−Ａ硬度である。この硬度は、「ＪＩＳ−Ｋ６２５３」の規定に準拠して、２３℃の環境下で、タイプＡのデュロメータによって測定される。より詳細には、硬度は、図２及び３に示された断面にタイプＡのデュロメータが押し付けられることで測定される。
【００６０】
バンド３２は、ベルト１８の半径方向外側に位置している。バンド３２は、半径方向において、ベルト１８とトレッド６との間に位置している。軸方向において、バンド３２の幅はベルト１８の幅よりも大きい。バンド３２は、ベルト１８を覆っている。
【００６１】
バンド３２は、バンドコードとトッピングゴムとからなる。バンドコードは、螺旋状に巻かれている。このバンド３２は、いわゆるジョイントレス構造を有する。バンドコードは、実質的に周方向に延びている。周方向に対するバンドコードの角度は、５°以下、さらには２°以下である。このバンドコードによりベルト１８が拘束されるので、ベルト１８のリフティングが抑制される。バンドコードは、有機繊維からなる。好ましい有機繊維として、ナイロン繊維、ポリエステル繊維、レーヨン繊維、ポリエチレンナフタレート繊維及びアラミド繊維が例示される。適度な剛性を有するバンド３２が得られるとの観点から、このバンドコードとしては、アラミド繊維からなるコードがより好ましい。このバンド３２は、軽量化及び転がり抵抗の低減に寄与する。
【００６２】
図示されていないが、バンドコードは複数本の原糸を撚り合わせて構成される。バンドコードの剛性及び加工性の観点から、バンドコードを構成する原糸の本数は２本以上が好ましく、３本以下が好ましい。原糸を撚り合わせる回数としては、４０回／１０ｃｍ以上が好ましく、８０回／１０ｃｍ以下が好ましい。さらにバンドコードにアラミド繊維からなるコードを用いる場合には、バンドコードの剛性及び質量の観点から、この原糸の繊度は６００ｄｔｅｘ以上が好ましく、１７００ｄｔｅｘ以下が好ましい。
【００６３】
このタイヤ２では、図４に示された帯状プライ６４を用いてバンド３２は形成される。このバンド３２は、帯状プライ６４を備えている。この帯状プライ６４は、テープ状である。この帯状プライ６４はバンドコード６６を含んでおり、このバンドコード６６はトッピングゴム６８で覆われている。言い換えれば、この帯状プライ６４は、バンドコード６６とトッピングゴム６８とからなる。
【００６４】
図４に示された帯状プライ６４は、複数本のバンドコード６６を含んでいる。詳細には、この帯状プライ６４は５本のバンドコード６６を含んでいる。これらのバンドコード６６は、この帯状プライ６４の幅方向に並列されている。
【００６５】
このタイヤ２では、帯状プライ６４に含まれるバンドコード６６の本数に、特に制限はない。ベルト１８の拘束の観点から、この帯状プライ６４に含まれるバンドコード６６の本数は２本以上が好ましい。生産性の観点から、この帯状プライ６４に含まれるバンドコード６６の本数は２０本以下が好ましい。
【００６６】
図４において、両矢印ＷＰは帯状プライ６４の幅である。このタイヤ２では、帯状プライ６４の幅ＷＰに特に制限はないが、通常この幅ＷＰは５ｍｍ以上３０ｍｍ以下の範囲で適宜設定される。なおこの帯状プライ６４の幅ＷＰは、後述する、帯状プライ６４の断面の幅と同義である。
【００６７】
このタイヤ２では、バンド３２は、帯状プライ６４をベルト１８の半径方向外側に、例えば、このベルト１８の第一端６２ａの側からその第二端６２ｂの側に向かって、又は、このベルト１８の第二端６２ｂの側からその第一端６２ａの側に向かって螺旋状に巻回すことにより形成される。したがって、このタイヤ２の回転の中心軸を含む平面に沿った、このタイヤ２の断面に含まれるバンド３２の断面には、帯状プライ６４の断面が多数含まれており、これらの断面が軸方向に並列されている。
【００６８】
図５には、バンド３２の断面がベルト１８の断面とともに示されている。具体的には、図５（ａ）には、外側ゾーンＺＳにおけるバンド３２の断面が示されている。図５（ｂ）には、中央ゾーンＺＣにおけるバンド３２の断面が示されている。図５（ｃ）には、内側ゾーンＺＣにおけるバンド３２の断面が示されている。この図５において、上下方向がタイヤ２の半径方向であり、左右方向がタイヤ２の軸方向であり、紙面との垂直方向がタイヤ２の周方向である。なお、この図５において、両矢印ＤＰは、一の、帯状プライ６４の断面と、この一の帯状プライ６４の断面の隣に位置する他の、帯状プライ６４の断面との間隔である。
【００６９】
図５に示されているように、外側ゾーンＺＳにおいては、一の、帯状プライ６４の断面と、この一の帯状プライ６４の断面の隣に位置する他の、帯状プライ６４の断面とは隙間なく並べられている。中央ゾーンＺＣにおいては、一の、帯状プライ６４の断面と、この一の帯状プライ６４の断面の隣に位置する他の、帯状プライ６４の断面との間には、隙間が設けられている。つまり、中央ゾーンＺＣにおける間隔ＤＰ（以下、間隔ＤＰＣとも称される。）は外側ゾーンＺＳにおける間隔ＤＰ（以下、間隔ＤＰＳとも称される。）よりも大きい。内側ゾーンＺＵにおいては、一の、帯状プライ６４の断面と、この一の帯状プライ６４の断面の隣に位置する他の、帯状プライ６４の断面との間には、前述の中央ゾーンＺＣにおける隙間よりも大きな隙間が設けられている。つまり、内側ゾーンＺＵにおける間隔ＤＰ（以下、間隔ＤＰＵとも称される。）は中央ゾーンＺＣにおける間隔ＤＰＣよりも大きい。このように、このタイヤ２では、バンド３２の形成に際し、各ゾーンにおける帯状プライ６４の巻回しのピッチが調整されている。
【００７０】
以上説明されたタイヤ２は、リム４に装着し内部に空気を充填して使用される。このリム４としては、例えば、二つ割りリムが用いられる。このリム４は、一対のハーフリム７０を備えている。それぞれのハーフリム７０は、ビードシート７２を備えている。このビードシート７２には、タイヤ２のビード１４の部分が嵌め合わされる。本発明においては、第一ビード１４ａの部分（第一ビード部７４ａ）が嵌め合わされるビードシート７２ａは、第一シートと称される。第二ビード１４ｂの部分（第二ビード部７４ｂ）が嵌め合わされるビードシート７２ｂは、第二シートと称される。つまり一方のハーフリム７０ａ（第一ハーフリム）は、第一シート７２ａを備えている。他方のハーフリム７０ｂ（第二ハーフリム）は、第二シート７２ｂを備えている。このリム４は、第一シート７２ａと第二シート７２ｂとを備えている。
【００７１】
このタイヤ２では、第一サイドウォール１０ａから第一ビード１４ａに至るまでの部分（第一サイド部７６ａ）は、第二サイドウォール１０ｂから第二ビード１４ｂに至るまでの部分（第二サイド部７６ｂ）の長さよりも大きな長さを有している。このため、第一シート７２ａにおけるリム４のリム径を第一リム径とし、第二シート７２ｂにおけるこのリム４のリム径を第二リム径としたとき、第一リム径は第二リム径よりも小さい。このタイヤ２では、第一サイド部７６ａが位置する側が小径側であり、第二サイド部７６ｂが位置する側が大径側である。したがってこのタイヤ２では、大径側のリム径の呼び（すなわち、第二リム径の呼びＤ２）は小径側のリム径の呼び（すなわち、第一リム径の呼びＤ１）よりも大きい。このタイヤ２は、異径ビードタイプである。なお、本発明において「リム径の呼び」は、ＪＡＴＭＡ規格における「タイヤの呼び」に含まれる「リム径の呼び」と同義である。
【００７２】
本発明において、タイヤ２が装着されるリム４の形状は、左右のリム径が同じ通常のリム（以下、正規リム）の形状と比べて特異である。このリム４は特殊である。本発明のタイヤ２のために、例えば、リム径の異なる、二つ割りタイプの正規リムを２つ準備し、一方の正規リムのハーフリム７０ａと、他方の正規リムのハーフリム７０ｂとを組み合わせることで、このリム４を構成することができる。このようにして構成されたリム４は、２つの正規リムを組み合わせて構成しているので、本発明においては、正規リムに準じるリムとして、準正規リムとも称される。さらに本明細書において正規リムとは、タイヤ２が依拠する規格において定められたリムを意味する。ＪＡＴＭＡ規格における「標準リム」、ＴＲＡ規格における「Design Rim」、及びＥＴＲＴＯ規格における「Measuring Rim」は、正規リムである。
【００７３】
以上説明されたタイヤ２は、次のようにして製造される。この製造方法では、中子が準備される。図示されていないが、この中子はトロイダル状の外面を備えている。
【００７４】
このタイヤ２の製造方法では、中子の外面においてインナーライナー２４をはじめとする多数の要素が組み合わされて、ローカバー（未加硫タイヤ２）が得られる。この製造方法では、ローカバーは中子の外面において組み立てられる。
【００７５】
この製造方法では、バンド３２の形成のために、帯状プライ６４が準備される。そして、前述したように、外側ゾーンＺＳ、中央ゾーンＺＣ及び内側ゾーンＺＵのそれぞれにおいて、帯状プライ６４の巻回しのピッチを調整しつつ、ベルト１８の半径方向外側に、この帯状プライ６４を螺旋状に巻回して、バンド３２は形成される。
【００７６】
この製造方法では、ローカバーは中子とともにモールド（図示されず）に投入される。投入後、モールドは閉じられる。ローカバーの内面は、中子に当接している。ローカバーの外面は、モールドのキャビティ面と当接する。ローカバーは、モールドのキャビティ面と中子の外面とに挟まれて加圧される。ローカバーは、モールド内で加圧及び加熱される。加圧及び加熱により、ローカバーのゴム組成物が流動する。加熱によりゴムが架橋反応を起こし、タイヤ２が得られる。このように中子を用いたタイヤ２の製法は、中子工法とも称される。
【００７７】
前述したように、このタイヤ２では、カーカス１６、バンド３２等の部材には、剛性の観点から、好ましくは、アラミド繊維からなコード（以下、アラミドコード）が採用される。このアラミドコードの採用は、転がり抵抗の低減及びパンク状態での耐久性の向上に寄与する。しかしこのアラミドコードの伸びはかなり小さい。このため、ローカバーを膨らませてその形態を整える工程、すなわちシェーピング工程を含む製造方法では、このアラミドコードを含む部材を備えるタイヤ２の製造は困難である。これに対して、中子方法では、ローカバーを膨らませてその形態を整える必要はない。この中子工法では、ローカバーの形態変化を伴うことなく、タイヤ２の成形が可能である。この中子工法によれば、伸びの小さなアラミドコードを含む部材を採用しても、タイヤ２を安定に製造することができる。この中子方法は、タイヤ２の転がり抵抗の低減及びパンク状態での耐久性の向上に寄与する。
【００７８】
前述したように、このタイヤ２の形状は赤道面ＥＬに対して非対称である。このタイヤ２の形状は、例えば、断面幅の呼びが同じで、偏平比の呼び及びリム径の呼びが異なる２つのタイヤを、それぞれの赤道面において組み合わせることにより、構成することができる。具体的には、例えば、２４５／４５Ｒ１８の「タイヤの呼び」で表されるタイヤの形状でその小径側の形状を構成し、２４５／３５Ｒ２０の「タイヤの呼び」で表されるタイヤの形状でその大径側の形状を構成することにより、図１−３に示されたタイヤ２の形状を得ることができる。この場合、モールドのキャビティ面には、２４５／４５Ｒ１８の「タイヤの呼び」で表されるタイヤの外面と２４５／３５Ｒ２０の「タイヤの呼び」で表されるタイヤの外面とが反映される。中子の外面には、２４５／４５Ｒ１８の「タイヤの呼び」で表されるタイヤ２の内面と２４５／３５Ｒ２０の「タイヤの呼び」で表されるタイヤの内面とが反映される。
【００７９】
前述したように、このタイヤ２では、第二サイド部７６ｂは第一サイド部７６ａよりも短い。この第二サイド部７６ｂは、第二支持層３０ｂを有しているにもかかわらず、軽量化に寄与する。この第二サイド部７６ｂは、転がり抵抗の低減にも寄与する。
【００８０】
このタイヤ２のサイド部７６には、支持層３０が設けられている。このため、このサイド部７６は、熱が蓄積する傾向にある。しかし、このタイヤ２では、第二サイド部７６ｂが第一サイド部７６ａよりも短いので、この第二サイド部７６ｂのボリュームは小さい。この第二サイド部７６ｂには、第二支持層３０ｂが設けられているにもかかわらず、熱が蓄積しにくい。この第二サイド部７６ｂは、耐久性に寄与する。この第二サイド部７６ｂが内側に位置するようにこのタイヤ２を車輌に装着することにより、耐久性のさらなる向上を図ることができる。
【００８１】
図１には、図２及び３に示されたタイヤ２をリム４に組み込み、このタイヤ２の内部に空気を充填した状態が示されている。
【００８２】
タイヤ２の内部に空気を充填すると、タイヤ２は膨張する。前述したように、このタイヤ２のカーカス１６は多数のコードを含んでいる。膨張により、それぞれのコードには張力が作用する。膨張状態にあるタイヤ２では、これらのコードに作用する張力は一様である。
【００８３】
図１において、両矢印ＷＲはこのタイヤ２が装着されるリム４のリム幅を表している。一点鎖線ＣＬは、このリム幅ＷＲの中心を通る。この一点鎖線ＣＬは、リム４の幅方向における中心線である。このタイヤ２の製造では、赤道面ＥＬがこの中心線ＣＬと軸方向において概ね一致するようにキャビティ面が整えられたモールドが用いられる。左右のリム径の呼びが同じである従来のタイヤでは、その内部に空気を充填し、タイヤを膨張させると、赤道面ＥＬはこの中心線ＣＬと軸方向において概ね一致する。
【００８４】
図１に示されているように、赤道面ＥＬは中心線ＣＬの左側に位置している。つまり、このタイヤ２は、その大径側が小径側に引っ張られるように膨張している。このため、タイヤ２の赤道面ＥＬは小径側にシフトし、大径側の第二サイド部７６ｂは立ち上がっている。膨張状態のタイヤ２では、その第二サイド部７６ｂにおけるカーカス１６は概ね半径方向に沿うように延在している。このカーカス１６のプロファイル（カーカスラインとも称される。）は、タイヤ２の支持に効果的に寄与する。横剛性が増加するので、このタイヤ２では、良好な操縦安定性が得られる。このタイヤ２では、パンクによって内圧が低下しても、この第二サイド部７６ｂが車重を十分に支えうる。このタイヤ２では、パンク状態でも、ある程度の距離の走行が可能である。
【００８５】
このタイヤ２では、第一サイド部７６ａは第二サイド部７６ｂよりも長い。この第一サイド部７６ａは、撓みに寄与する。縦剛性が適切に維持されるので、このタイヤ２では、良好な乗り心地が得られる。この第一サイド部７６ａが外側に位置するようにこのタイヤ２を車輌に装着することにより、乗り心地のさらなる向上を図ることができる。
【００８６】
このタイヤ２では、バンド３２は、ベルト１８の半径方向外側に螺旋巻きされた帯状プライ６４を備えている。詳細には、このバンド３２は、ベルト１８の半径方向外側に螺旋巻きされた帯状プライ６４からなる。このバンド３２の断面は、軸方向に並列された帯状プライ６４の断面を多数含んでいる。
【００８７】
このタイヤ２では、バンド３２の断面において、一の、帯状プライ６４の断面と、この一の帯状プライ６４の断面の隣に位置する他の、帯状プライ６４の断面との間隔ＤＰが適切に調整されている。具体的には、帯状プライ６４の断面の幅ＷＰに対する間隔ＤＰの比は０以上１以下である。この比が０以上に設定されることにより、一の、帯状プライ６４の断面と、この一の帯状プライ６４の断面の隣に位置する他の、帯状プライ６４の断面とをオーバーラップさせることなくバンド３２が形成される。このタイヤ２では、バンド３２による質量への影響が抑えられている。この比が１以下に設定されることにより、バンド３２の剛性が適切に維持される。このタイヤ２では、バンド３２がベルト１８を効果的に拘束する。つまり、このタイヤ２では、幅ＷＰに対する間隔ＤＰの比を０以上１以下に設定することにより、好ましくは、この比を０．０以上１．０以下に設定することにより、タイヤ２の質量への影響と、このバンド３２の拘束力とが、バランス良く整えられている。
【００８８】
さらにこのタイヤ２では、内側ゾーンＺＵにおける、一の、帯状プライ６４の断面と、この一の帯状プライ６４の断面の隣に位置する他の、帯状プライ６４の断面との間隔ＤＰＵ、すなわち、ベルト１８の第二端６２ｂの側における間隔ＤＰＵは、外側ゾーンＺＳにおける間隔ＤＰＳ、すなわち、ベルト１８の第一端６２ａの側における間隔ＤＰＳよりも大きい。このため、この帯状プライ６４からなるバンド３２は、ベルト１８の第一端６２ａの側において大きな剛性を有し、その第二端６２ｂの側において小さな剛性を有する。
【００８９】
図６には、タイヤ２の使用状態が示されている。図６において、実線で示されているのは、このタイヤ２の輪郭である。点線で示されているのは、帯状プライを一定のピッチで螺旋状に巻回して、その全体を構成したバンドを有するタイヤ７８（以下、参照タイヤと称される。）の輪郭である。いずれの輪郭も、タイヤ２、７８を準正規リムに組み込み、内圧を２３０ｋＰａに調整した状態において確認されている。参照タイヤ７８のバンド以外は、図１−３に示されたタイヤ２と同等の構成を有している。したがって、参照タイヤ７８も異径ビードタイプである。
【００９０】
図示されていないが、参照タイヤ７８では、図１に示されたタイヤ２のバンド３２とは異なり、バンドの断面全体において、一の、帯状プライの断面と、この一の帯状プライの断面の隣に位置する他の、帯状プライの断面とは、等間隔で並べられている。このバンドでは、ベルトの第一端の側の剛性と、その第二端の側の剛性とは同等である。このバンドの剛性は、軸方向において略一様である。
【００９１】
図６に示されているように、参照タイヤ７８では、空気充填によるタイヤ７８の膨らみに関し、左側の部分の膨らみの程度は右側の部分の膨らみの程度よりも大きい。この参照タイヤ７８では、軸方向においてバンドの剛性が一様であることから、この膨らみの程度の相違は、第一サイド部の剛性が第二サイド部のそれよりも小さいことが起因していると考えられている。この参照タイヤ７８では、左側の部分の外径が右側の部分の外径よりも大きいので、左側、すなわち、ベルト（図示されず）の第一端の側から右側、すなわち第二端の側に向かって、大きなコニシティが発生する。
【００９２】
これに対して本発明のタイヤ２では、バンド３２が、その断面において、一の、帯状プライ６４の断面と、この一の帯状プライ６４の断面の隣に位置する他の、帯状プライ６４の断面との間隔ＤＰが、この帯状プライ６４の断面の幅ＷＰに対して０以上１以下で設定されるとともに、ベルト１８の第二端６２ｂの側における間隔ＤＰがこのベルト１８の第一端６２ａの側における間隔ＤＰよりも大きくなるよう構成されている。このタイヤ２では、図６に示されているように、空気充填によるタイヤ２の膨らみに関し、ベルト１８の第一端６２ａの側、すなわち左側部分の膨らみの程度は、その第二端６２ｂの側、すなわち右側部分の膨らみの程度と略同等である。このバンド３２を有するタイヤ２では、その膨張状態において、左側部分、すなわち小さなリム径の呼びを有する部分の外径と、右側部分、すなわち大きなリム径の呼びを有する部分の外径とに、違いは生じにくい。このタイヤ２では、コニシティの増加が抑えられる。
【００９３】
以上説明したように、本発明によれば、コニシティの増加を抑えつつ、操縦安定性及び乗り心地の向上が達成された空気入りタイヤ２が得られる。
【００９４】
このタイヤ２では、バンド３２の形成で用いられる帯状プライ６４の本数に特に制限はない。例えば、３本の帯状プライ６４を準備し、外側ゾーンＺＳ、中央ゾーンＺＣ及び内側ゾーンＺＵのそれぞれが１本の帯状プライ６４で形成されてもよいし、バンド３２全体が１本の帯状プライ６４で形成されてもよい。バンド３２がベルト１８を効果的に拘束するとの観点から、バンド３２全体が１本の帯状プライ６４からなるのが好ましい。この場合、帯状プライ６４の間隔ＤＰは、外側ゾーンＺＳと中央ゾーンＺＣとの境界では間隔ＤＰＳから間隔ＤＰＣに徐々に変化させられ、そして中央ゾーンＺＣと内側ゾーンＺＵとの境界では、間隔ＤＰＣから間隔ＤＰＵに徐々に変化させられる。
【００９５】
前述したように、このタイヤ２では、バンド３２が、その断面において、一の、帯状プライ６４の断面と、この一の帯状プライ６４の断面の隣に位置する他の、帯状プライ６４の断面との間隔ＤＰが、この帯状プライ６４の断面の幅ＷＰに対して０以上１以下で設定されるとともに、ベルト１８の第二端６２ｂの側における間隔ＤＰがこのベルト１８の第一端６２ａの側における間隔ＤＰよりも大きくなるよう構成されている。特にこのタイヤ２では、中央ゾーンＺＣにおける間隔ＤＰＣは外側ゾーンＺＳにおける間隔ＤＰＳよりも大きく、内側ゾーンＺＵにおける間隔ＤＰＵは中央ゾーンＺＣにおける間隔ＤＰＣよりも大きい。これにより、空気充填によるタイヤ２の膨らみに関し、タイヤ２の左側部分とその右側部分とにおいて、同程度の膨らみが達成されている。
【００９６】
このタイヤでは、長い第一サイド部７６ａの膨張時の変形代は短い第二サイド部７６ｂのそれよりも大きい。このため、第一サイド部７６ａが配置される、このタイヤ２の左側部分は、膨張しやすい。
【００９７】
このタイヤでは、外側ゾーンＺＳにおける、帯状プライ６４の幅ＷＰに対する、帯状プライ６４の間隔ＤＰＳの比は０．２以下が好ましい。このバンド３２は、外側ゾーンＺＳにおいて、タイヤ２の左側部分の膨らみを効果的に抑える。このタイヤ２では、タイヤ２の左側部分とその右側部分とにおいて、同程度の膨らみが達成され、コニシティの増加が抑えられる。この観点から、この比は０である、すなわち、図５（ａ）に示されているように、帯状プライ６４は隙間なく巻回されるのが好ましい。より好ましくは、この比は０．０である。
【００９８】
このタイヤ２では、短い第二サイド部７６ｂの膨張時の変形代は長い第一サイド部７６ａのそれよりも小さい。このため、第二サイド部７６ｂが配置される、このタイヤ２の右側部分は、膨張しにくい。このため、内側ゾーンＺＵにおいて、帯状プライ６４の間隔ＤＰＵが小さいと、タイヤ２の右側部分の膨張が過剰に抑えられ、却って、左右の膨張のバランスが崩れる恐れがある。
【００９９】
このタイヤ２では、内側ゾーンＺＵにおける、帯状プライ６４の幅ＷＰに対する、帯状プライ６４の間隔ＤＰＵの比は０．８以上が好ましい。これにより、このバンド３２が、内側ゾーンＺＵにおいて、タイヤ２の右側部分の膨張を過剰に抑えることが防止される。このタイヤ２では、タイヤ２の左側部分とその右側部分とにおいて、同程度の膨らみが達成され、コニシティの増加が抑えられる。バンド３２によるベルト１８の拘束力が確保され、良好な高速耐久性及び操縦安定性が維持されるとの観点から、この比は１以下が好ましい。より好ましくは、この比は１．０以下である。
【０１００】
このタイヤ２では、中央ゾーンＺＣにおける、帯状プライ６４の間隔ＤＰＣも、タイヤ２の膨張に影響する。すなわち、この間隔ＤＰＣが小さいと、タイヤ２の膨張が全体的に抑えられ、却って、左右の膨張をバランスよく整えることができない。この間隔ＤＰＣが大きいと、タイヤ２の膨張を十分抑えることができず、この場合も、左右の膨張をバランスよく整えることができない。しかもバンド３２の剛性が不足するので、操縦安定性等の性能が低下する恐れもある。
【０１０１】
このタイヤ２では、タイヤ２の左側部分とその右側部分とにおいて、同程度の膨らみが達成され、コニシティの増加が抑えられるともに、良好な操縦安定性が維持されるとの観点から、中央ゾーンＺＣにおける、帯状プライ６４の幅ＷＰに対する、帯状プライ６４の間隔ＤＰＣの比は、０．２以上が好ましく、０．８以下が好ましい。より好ましくは、この比は０．５に設定されることである。
【０１０２】
前述したように、このタイヤ２は異径ビードタイプである。これにより、膨張状態におけるカーカスラインをコントロールし、操縦安定性の向上が図られている。この観点から、第二リム径の呼びＤ２と第一リム径の呼びＤ１との差（Ｄ２−Ｄ１）は１インチ以上が好ましい。このカーカスラインが維持され、直進安定性及び耐摩耗性の低下が防止されるとの観点から、この差（Ｄ２−Ｄ１）は３インチ以下が好ましい。
【０１０３】
前述したように、このタイヤ２では、第一サイド部７６ａは第二サイド部７６ｂよりも長い。長い第一サイド部７６ａは、撓みに寄与する。縦剛性の増加が抑えられるので、このタイヤ２では、良好な乗り心地が得られる。長い第一サイド部７６ａの形成の観点から、第一リム径の呼びＤ１は２０インチ以下が好ましい。長い第一サイド部７６ａによる操縦安定性への影響が抑えられるとの観点から、この第一リム径の呼びＤ１は１６インチ以上が好ましい。
【０１０４】
前述したように、このタイヤ２では、第二サイド部７６ｂは第一サイド部７６ａよりも短い。短い第二サイド部７６ｂは縦剛性を効果的に増加させるので、このタイヤ２では、良好な操縦安定性及びランフラット耐久性が得られる。この観点から、第二リム径の呼びＤ２は１７インチ以上が好ましい。短い第二サイド部７６ｂによる耐摩耗性及び乗り心地への影響が抑えられるとの観点から、この第二リム径の呼びＤ２は２３インチ以下が好ましい。
【０１０５】
図１において、実線ＢＬ１は第一ベースラインである。第一ベースラインは、このタイヤ２が装着されるリム４の第一リム径を規定する線に相当する。この第一ベースラインは、軸方向に延びる。実線ＢＬ２は、第二ベースラインである。第二ベースラインは、このリム４の第二リム径を規定する線に相当する。この第二ベースラインは、軸方向に延びる。
【０１０６】
この図１において、両矢印Ｈ１は、第一ベースラインからこのタイヤ２の半径方向外側端ＰＥまでの半径方向高さを表している。この高さＨ１は、第一ベースラインを基準として得られるこのタイヤ２の断面高さである。両矢印Ｈ２は、第二ベースラインからこのタイヤ２の半径方向外側端ＰＥまでの半径方向高さを表している。この高さＨ２は、第二ベースラインを基準として得られるこのタイヤ２の断面高さである。両矢印Ｗは、軸方向におけるこのタイヤ２の最大幅を表している。この幅Ｗは、このタイヤ２の断面幅である。
【０１０７】
本発明では、断面高さＨ１、断面高さＨ２及び断面幅Ｗは、タイヤ２に空気を充填した状態で測定される。測定時には、このタイヤ２には荷重がかけられない。測定時におけるタイヤ２の内圧は、用途及び大きさを考慮して、タイヤ２が依拠する規格において定められた正規内圧を参照して決められる。図１に示されたタイヤ２では、このタイヤ２が乗用車用であるので、タイヤ２の内圧が１８０ｋＰａとなるように空気が充填された状態で、断面高さＨ１、断面高さＨ２及び断面幅Ｗは測定される。なお本明細書において正規内圧とは、ＪＡＴＭＡ規格における「最高空気圧」、ＴＲＡ規格における「TIRE LOAD LIMITS AT VARIOUS COLD INFLATION PRESSURES」に掲載された「最大値」、及びＥＴＲＴＯ規格における「INFLATION PRESSURE」を意味する。
【０１０８】
本発明においては、小径側の偏平比（以下、第一偏平比Ｆ１）は断面高さＨ１の断面幅Ｗに対する比で表される。大径側の偏平比（以下、第二偏平比Ｆ２）は、断面高さＨ２の断面幅Ｗに対する比で表される。
【０１０９】
このタイヤ２では、乗り心地及び操縦安定性の観点から、第一偏平比Ｆ１は０．４０以上が好ましく、０．７０以下が好ましい。さらにカーカスラインによる耐摩耗性への影響が抑えられるとの観点から、この第一偏平比Ｆ１は０．４５以上がより好ましく、０．６５以下がより好ましい。
【０１１０】
このタイヤ２では、操縦安定性及びランフラット耐久性の観点から、第二偏平比Ｆ２は０．３０以上が好ましく、０．６０以下が好ましい。さらに耐摩耗性のさらなる向上を図ることができるとの観点から、この第二偏平比Ｆ２は０．３５以上が好ましく、０．５５以下がより好ましい。
【０１１１】
四輪自動車に装着されたタイヤ２では、車輌の幅方向内側部分にその外側部分よりも大きな荷重が作用する傾向にある。特に、赤道面が鉛直線に対して傾斜するように車輌に装着されている場合、詳細には、キャンバー角をネガティブキャンバーで設定した場合において、この傾向は顕著である。このタイヤ２では、第一サイド部７６ａが主に縦剛性に寄与し、第二サイド部７６ｂが主に横剛性に寄与する。乗り心地、操縦安定性及びランフラット耐久性の観点から、第一サイド部７６ａが車輌の幅方向外側（表側又はＳ側とも称される。）に位置し、第二サイド部７６ｂがこの車輌の幅方向内側（裏側又はＮＳ側とも称される。）に位置するように、このタイヤ２は四輪自動車に装着されるのが好ましい。この場合、第一サイド部７６ａはランフラット耐久性への寄与が低い、車輌の幅方向外側に配置されることになるので、薄い第一支持層３０ａの採用が可能となり、更なる軽量化及び転がり抵抗の更なる低減を図ることができる。場合によっては、第一サイド部７６ａから第一支持層３０ａを除くことができ、この場合には、より一層の軽量化及び転がり抵抗の低減を図ることができる。
【実施例】
【０１１２】
以下、実施例によって本発明の効果が明らかにされるが、この実施例の記載に基づいて本発明が限定的に解釈されるべきではない。
【０１１３】
［実施例１］
図１−３に示されたタイヤを製作した。この実施例１では、下記の表１に示されているように、第一リム径の呼びＤ１は１８インチである。第二リム径の呼びＤ２は、２０インチである。
【０１１４】
バンドコードには、アラミド繊維からなるコード（構成＝８００ｄｔｅｘ／２、撚り合わせ回数＝６０回／１０ｃｍ）を採用した。このことが、表１のバンドコードの欄に「アラミド」として表されている。
【０１１５】
バンドの形成には、その幅ＷＰが１０ｍｍに設定された帯状プライが用いられた。ベルトの第一端側の外側ゾーンでは、バンドの断面において、帯状プライの断面の幅ＷＰに対する、一の帯状プライの断面と、この一の帯状プライの断面の隣に位置する他の帯状プライの断面との間隔ＤＰの比（ＤＰ／ＷＰ）は０．０に設定された。外側ゾーンにおける比（ＤＰ／ＷＰ）は、比（ＤＰＳ／ＷＰ）と同義である。中央ゾーンでは、この比（ＤＰ／ＷＰ）は、０．５に設定された。この中央ゾーンにおける比（ＤＰ／ＷＰ）は、比（ＤＰＣ／ＷＰ）と同義である。ベルトの第二端側の内側ゾーンでは、この比（ＤＰ／ＷＰ）は、１．０に設定された。この内側ゾーンにおける比（ＤＰ／ＷＰ）は、比（ＤＰＵ／ＷＰ）と同義である。
【０１１６】
第一偏平比Ｆ１及び第二偏平比Ｆ２は、下記の表１の通りである。なお、断面幅Ｗは２４５ｍｍとされた。
【０１１７】
この実施例１には、「インサート構造」のカーカスが採用されている。このことが、表の「カーカスの構造」の欄に、「Ｉ」で示されている。このカーカスに含まれるコードには、アラミド繊維からなるコードが用いられている。ベルトに含まれるコードには、その材質がスチールとされたコードが用いられている。この実施例１は、中子工法で製作されている。
【０１１８】
［比較例１−４］
比較例１−４は、従来のタイヤである。これらのタイヤの形状は、赤道面に対して対称である。断面幅Ｗは、いずれも２４５ｍｍである。偏平比Ｆ１、第一リム径の呼びＤ１、偏平比Ｆ２及び第二リム径の呼びＤ２は、下記の表１に示された通りである。この比較例１−４では、実施例１のバンドの形成に用いた帯状プライを用いて、バンド全体が形成されている。このバンドの形成では、外側ゾーン、中央ゾーン及び内側ゾーンのそれぞれにおいて、比（ＤＰ／ＷＰ）は０に設定された。つまり、帯状プライを隙間なく螺旋状に巻回して、バンドの全体が構成された。なお、比較例１及び２には、「折り返し構造」のカーカスが採用されている。このことが、表の「カーカスの構造」の欄に、「Ｆ」で示されている。比較例３及び４には、実施例１と同じ、「インサート構造」のカーカスが採用されている。
【０１１９】
［比較例５−７］
第二リム径の呼びＤ２を変えて偏平比Ｆ２及び第二リム径の呼びＤ２と第一リム径の呼びＤ１との差（Ｄ２−Ｄ１）を下記の表１の通りとした他は比較例３と同様にして、比較例５−７のタイヤを得た。
【０１２０】
［実施例２−４及び比較例８］
第二リム径の呼びＤ２を変えて偏平比Ｆ２及び差（Ｄ２−Ｄ１）を下記の表２の通りとした他は実施例１と同様にして、実施例２−４及び比較例８のタイヤを得た。
【０１２１】
［比較例９］
外側ゾーンの比（ＤＰ／ＷＰ）及び内側ゾーンの比（ＤＰ／ＷＰ）を下記の表３の通りとした他は実施例１と同様にして、比較例９のタイヤを得た。
【０１２２】
［実施例５−６］
外側ゾーンの比（ＤＰ／ＷＰ）を下記の表３の通りとした他は実施例１と同様にして、実施例５−６のタイヤを得た。
【０１２３】
［実施例７−１０］
中央ゾーンの比（ＤＰ／ＷＰ）を下記の表４の通りとした他は実施例１と同様にして、実施例７−１０のタイヤを得た。
【０１２４】
［実施例１１−１３］
内側ゾーンの比（ＤＰ／ＷＰ）を下記の表５の通りとした他は実施例１と同様にして、実施例１１−１３のタイヤを得た。
【０１２５】
［実施例１４−１８］
第一リム径の呼びＤ１及び第二リム径の呼びＤ２を変えて、偏平比Ｆ１、偏平比Ｆ２及び差（Ｄ２−Ｄ１）を下記の表６の通りとした他は実施例１と同様にして、実施例１４−１８のタイヤを得た。
【０１２６】
［実施例１９］
バンドコードをナイロン繊維からなるコード（構成＝１４００ｄｔｅｘ／２、撚り合わせ回数＝６０回／１０ｃｍ）に置き換えた他は実施例１と同様にして、実施例１９のタイヤを得た。
【０１２７】
［転がり抵抗係数（ＲＲＣ）］
転がり抵抗試験機（ドラム径＝１．７ｍ、ドラム表面＝ｓｍｏｏｔｈ  ｓｔｅｅｌ）を用い、下記の測定条件で転がり抵抗係数（ＲＲＣ）を測定した。なお、リムには、第一リム径の呼びＤ１を参照して第一ハーフリム（アルミニウム合金製）を選定し、第二リム径の呼びＤ２を参照して第二ハーフリム（アルミニウム合金製）を選定して、この第一ハーフリム及び第二ハーフリムを組み合わせて構成した、二つ割りリム（準正規リム）を用いた。このリムでは、リム幅は８．５インチに設定された。
内圧：２１０ｋＰａ
荷重：５．３ｋＮ
速度：８０ｋｍ／ｈ
温度：２０℃
慣らし時間：３０分
この結果が、指数で、下記の表１−６に示されている。数値が大きいほど好ましい、つまり転がり抵抗係数（ＲＲＣ）が小さい。
【０１２８】
［タイヤの質量］
タイヤ一本の質量を計測した。この結果が、指数で、下記の表１−６に示されている。数値が大きいほど好ましい、つまり質量が小さい。
【０１２９】
［乗り心地及び操縦安定性］
タイヤをリムに組み込み、このタイヤに内圧が２３０ｋＰａとなるように空気を充填した。このタイヤを、市販のハイブリッドタイプの乗用車に装着した。タイヤの小径側が車両の幅方向外側（Ｓ側）に位置し、大径側が車両の幅方向内側（ＮＳ側）に位置するように、このタイヤは装着された。リムには、転がり抵抗係数の測定で用いた準正規リムが用いられた。ドライバーに、この乗用車をレーシングサーキットで運転させて、乗り心地及び操縦安定性を評価させた。この乗用車には、ドライバー以外は乗車していない。この結果が、指数で、下記の表１−６に示されている。数値が大きいほど好ましい。
【０１３０】
［コニシティ］
「ＪＡＳＯ  Ｃ６０７：２０００」に規定されたユニフォーミティ試験方法に準拠して、下記に示す条件にて、コニシティ（ＣＯＮ）を測定した。１０本のタイヤについて測定し、その測定結果の平均値が、指数で、下記の表１−６に示されている。この数値が０に近いほど、コニシティの発生が抑えられており好ましい。リムには、転がり抵抗係数の測定で用いた準正規リムが用いられた。
リム幅：８．５インチ
内圧：２１０ｋＰａ
荷重：５．３ｋＮ
速度：６０ｒｐｍ
【０１３１】
【表１】
0006766418.tif 000002
【０１３２】
【表２】
0006766418.tif 000003
【０１３３】
【表３】
0006766418.tif 000004
【０１３４】
【表４】
0006766418.tif 000005
【０１３５】
【表５】
0006766418.tif 000006
【０１３６】
【表６】
0006766418.tif 000007
【０１３７】
表１−６に示されるように、実施例のタイヤでは、比較例のタイヤに比べて評価が高い。この評価結果から、本発明の優位性は明らかである。
【産業上の利用可能性】
【０１３８】
以上説明されたタイヤは、種々のタイプの四輪自動車にも適用されうる。
【符号の説明】
【０１３９】
２・・・タイヤ
４・・・リム
６・・・トレッド
１０、１０ａ、１０ｂ・・・サイドウォール
１２、１２ａ、１２ｂ・・・クリンチ
１４、１４ａ、１４ｂ・・・ビード
１６・・・カーカス
１８・・・ベルト
３０、３０ａ、３０ｂ・・・支持層
３２・・・バンド
３４・・・トレッド面
５６・・・カーカスプライ
５８・・・内側層
６０・・・外側層
６２、６２ａ、６２ｂ・・・ベルト１８の端
６４・・・帯状プライ
６６・・・バンドコード
６８・・・トッピングゴム
７０、７０ａ、７０ｂ・・・ハーフリム
７２、７２ａ、７２ｂ・・・ビードシート
７４、７４ａ、７４ｂ・・・ビード部
７６、７６ａ、７６ｂ・・・サイド部
【図１】
0006766418.tif 000008
【図２】
0006766418.tif 000009
【図３】
0006766418.tif 000010
【図４】
0006766418.tif 000011
【図５】
0006766418.tif 000012
【図６】
0006766418.tif 000013